(57)【要約】【課題】ピンベルト、トップベルト、バックルベルトの三タイのベルトに対応できるばかりでなく、ネクタイハンガーとしても利用できると共に、取り付け取り外しが極めて容易なベルトハンガーを提供する。【解決手段】上部にフック３を有するハンガー主体１の胴部２に一体的に連設して下方に伸びる帯状体４を設ける。帯状体４の表面側にピン式ベルト６のピン１０を係止する止着部５と、トップ式ベルト１３の突子１６を挿通させた状態で挟持する支持孔１２を設ける。裏面側の下端部にバックル式ベルト１８の圧接具１９と係合する突出部１７を設ける。【選択図】図１
2010178836.tif 000002
【特許請求の範囲】
【請求項１】
上部にフックを有するハンガー主体の胴部と一体に連設して下方に伸びる帯状体の表面側に、ピン式ベルトのピンを係止する止着部と、トップ式ベルトの突子を挿通させた状態で挟持する支持孔と、裏面側の下端部にバックル式ベルトの圧接具と係合する突部を設けたことを特徴とするベルトハンガー。
【請求項２】
前記ハンガー主体の胴部に横長矩形のネクタイ挿通孔を穿設したことを特徴とする請求項１に記載のベルトハンガー。
【請求項３】
前記止着部は、両側縦杆の内側面に複数個の左右弾性係止突片を相対向して設け、その左右弾性係止突片間隔をピン幅より狭くし、ピンを圧入後、弾性係止突片でピンの背面を抱着すると共に、ピン式ベルトの枠体を両側縦杆の上辺部に引っ掛けることを特徴とする請求項１または２に記載のベルトハンガー。
【請求項４】
前記支持孔は、四方から中心に向う弾性舌片を備えていることを特徴とする請求項１乃至３記載のベルトハンガー。
【発明の詳細な説明】
【技術分野】
【０００１】
本発明は、主としてウエストベルトを吊り下げて展示販売する時に用いる合成樹脂製のハンガーに関するもので、さらに詳しくは、三タイプのウエストベルトに共通して使用できると共に、ネクタイハンガーとしても使用可能なベルトハンガーに関するものである。
【背景技術】
【０００２】
ウエストベルトやネクタイなどを展示販売する時には、輪状に巻きつけて陳列台などに置いて販売する方法と、合成樹脂製の小さい吊り下げ具に吊り下げて販売する方法がある。輪状に巻き付けて販売する場合、場所を広くとることになり、場所をとらない小さなハンガーに吊り下げて展示販売することが多くなってきている。特にデパートやスーパーなど商品を多く置いている場合はこの方法により販売されることが多くなっている。
【０００３】
ウエストベルト用のハンガーとしては、従来から種々提案されているが、例えば、図１４、図１５に示すようなものが提供されている。すなわち、屈曲可能な合成樹脂製のハンガー本体２１の両側帯状体２２の長手方向の一端にフック２３を連設し、前記帯状体２２，２２の長手方向の両側を、一側面側にほぼＵ字状に屈曲させ、そのＵ字状内に枠体２４を通した後、相対向する部位に設けた係止突起２５と係止孔２６とを嵌合して環状とすると共に、ピン２７を係止孔２８に挿通して吊設したものである（例えば、特許文献１参照）。
【０００４】
また、ネクタイ用のハンガーも種々提案されており、例えば、図１６に示すように、合成樹脂製のハンガー本体３１の一側部に開口部３２を、上部に係止溝３３を形成することによりフック３４を設け、下方部には挿入孔３５を形成して懸架杆３６と係止突出部３７を一体成形したものである（例えば、特許文献２参照）。
【先行技術文献】
【特許文献】
【０００５】
【特許文献１】実開平４−１０４９５８号公報
【特許文献２】実開平３−７９７７６号公報
【発明の概要】
【発明が解決しようとする課題】
【０００６】
しかしながら、前記特許文献１のベルトハンガー２１は、ピン式ベルトに使えても、トップ式ベルトやバックル式ベルトには使用できなかった。ウエストベルトにはベルトに所定間隔の孔をあけておき、その孔にピンを差し込んで止めるピン式ベルトと、バックルの裏側に突子を設け、その突子をベルトの孔の上から押し込んで止めるトップ式ベルトと、ベルトに孔をあけずに溝を刻設した圧接具によりベルトを止めるバックル式ベルトの三タイプがあり、それぞれ構造、形状、止め方が異なることから、展示販売する時には、別々のハンガーを使用しなければならず不便であった。また、一品種大量生産によるコストダウンを図ることができずコストアップになるといった問題点があった。
【０００７】
前記特許文献２のネクタイハンガー３１は、ネクタイのみを吊り下げて展示販売するしかなく、他の商品に使用できなかった。また、ネクタイとベルトとの売り場が共通するところであっても、それぞれ別々のハンガーを使用しなければならず、タイプの異なるベルトとネクタイを共通して展示販売できるハンガーはなかった。
【０００８】
本発明は、上記のような問題点を解決することを課題として開発されたもので、ピン式ベルト、トップ式ベルト、バックル式ベルトの三タイプのベルトを吊設して展示販売できるばかりでなく、ネクタイハンガーとしても使用可能であり、かつ取り付け取り外しも容易なベルトハンガーを提供することを目的とするものである。
【課題を解決するための手段】
【０００９】
上記の課題を解決し、その目的を達成する手段として、本発明は、上部にフックを有するハンガー主体の胴部と一体に連設して下方に伸びる帯状体の表面側に、ピン式ベルトの枠体およびピンを係止する止着部と、トップ式ベルトの突子を挿通させた状態で挟持する支持孔と、裏面側の下端部にバックル式ベルトの圧接具と係合する突部を設けたことを特徴とするベルトハンガーを開発し、採用した。
【００１０】
また、本発明では、上記のように構成したベルトハンガーにおいて、前記ハンガー主体の胴部に、上下２個の横長矩形のネクタイ挿通孔を穿設したことを特徴とするベルトハンガー、および前記止着部は、両側縦杆の内側面に複数個の左右弾性係止突片を相対向して設け、その左右弾性係止突片の間隔をピン幅より狭くすると共に、両側縦杆の上端部にピン式ベルトの枠体を引っ掛けるようにしたことを特徴とするベルトハンガー、および前記支持孔は、四方から中心に向う弾性舌片を備えていることを特徴とするベルトハンガーを開発し、採用した。
【発明の効果】
【００１１】
本発明のベルトハンガーによれば、ピン式ベルト、トップ式ベルト、バックル式ベルトの三タイプのベルトに使用でき、従来のようにタイプごとに異なるハンガーを使用することがなくなって便利になる。また、一種類でよいので大量生産できてコストダウンが図れ安価に提供できると共に、製造、販売、在庫などの管理上においても合理化できる。さらに、ハンガー主体の胴部に、上下２個の横長矩形のネクタイ挿通孔を穿設してあるから、ベルトの他にネクタイを吊るすことができ、紳士服飾品用のハンガーとして有効に利用することができる。
【００１２】
ピン式ベルトは、ピンの背面を左右の弾性係止突片により抱着されているから、抜け落ちることがなくしっかり支持されると共に、ベルトの枠体を縦杆の上辺部に引っ掛けてあり、２つの係止手段で止着しているから、外れ落ちるようなことがなく、確実に吊り下げて展示販売できる。また、トップ式ベルトは、突子を支持孔に挿通させた状態で弾性舌片により挟持されているから、外れることなく確実に吊り下げて展示販売できる。さらに、
バックル式ベルトは、帯状体の裏面側の下端部に設けた突出部と圧接具とが係合することにより、確実に吊り下げて展示販売できる。
【図面の簡単な説明】
【００１３】
【図１】本発明の正面図である。
【図２】本発明の背面図である。
【図３】図１のＡ−Ａ線断面図である。
【図４】ピン式ベルトの止着部の拡大正面図である。
【図５】図４のＢ−Ｂ線断面図である。
【図６】支持孔の拡大正面図である。
【図７】ピン式ベルトの装着状態を示す正面図である。
【図８】トップ式ベルトの装着状態を示す縦断側面図である。
【図９】バックル式ベルトの装着状態を示す縦断側面図である。
【図１０】ネクタイの装着状態を示す正面図である。
【図１１】ピン式ベルトの斜視図である。
【図１２】トップ式ベルトの斜視図である。
【図１３】バックル式ベルトの斜視図である。
【図１４】従来のベルトハンガーの正面図である。
【図１５】ベルトを装着した状態の斜視図である。
【図１６】従来のネクタイハンガーの正面図である。
【発明を実施するための形態】
【００１４】
以下に、本発明の実施の形態を添付図面に基づいて説明すれば、１は可撓性を有する合成樹脂製のハンガー主体であり、商標や宣伝広告など印刷されたラベルやシールなどを貼着する胴体２の上方部に懸架物に引っ掛けるフック３を設けると共に、胴体２と一体的に連設して下方部に伸びる細幅の帯状体４を設けてある。
【００１５】
５はその帯状体４の長さ方向の略中間位置に設けたピン式ベルト６の止着部である。この止着部５は、図４、図５に示すように、帯状体４の両側部に設けた縦杆７，７と、その縦杆７，７の内側面の上部と中部と下部に一体的に設けた左右弾性係止突片８，８、８，８、８，８とで構成されている。
【００１６】
縦杆７，７の上端部は、図３に示すように、帯状体４に向かって低くなる傾斜面７ａ，７ａに形成してあり、ピン式ベルト６の枠体６ａを引っ掛けても外れにくいようになっている。また、左右弾性係止突片８，８の間隔幅９はピン１０の幅より狭くなっていると共に、ピン１０を圧入しやすくするために左右弾性係止突片８，８の正面部は、図５に示すように、内方に傾斜する傾斜面８ａ，８ａに形成してある。そして、縦杆７，７と左右弾性係止突片８，８とで形成される帯状体４の前面部の凹部１１にピン１０が嵌まるように構成されている。
【００１７】
１２は止着部５の下方部に設けたトップ式ベルト１３の支持孔であり、この支持孔１２には内周縁の四方から中心部に向かって弾性舌片１４，１４、１４，１４が突設してあり、その４つの弾性舌片１４，１４、１４，１４で囲まれた中心孔１５はトップ式ベルト１３の突子１６の外径より小径になっているが、舌片１４が弾性変形することにより中心孔１５が広がり突子１６が挿脱自在になっている。
【００１８】
１７は帯状体４の裏面側の下端部に設けた半円形状の突出部であり、この突出部１７はバックル式ベルト１８の圧接具１９と係合することによりバックル式ベルトを吊設して展示販売できるようになっている。２０は胴体２の下方部に上下２個配設した横長矩形の貫通孔であり、ネクタイ２１を挿通して吊り下げ展示販売できるようになっている。
【００１９】
このように構成した本発明の実施の形態における使用例を作用、効果と共に説明する。先ず、ピン式ベルト６を吊り下げて展示販売する例を述べると、枠体６ａとピン１０を垂直に立て、枠体６ａを縦杆７，７の上端部に引っ掛けることにより吊り下げられ、吊り下げられた枠体６ａは、上端部が帯状体４に向かって低くなる傾斜面７ａ，７ａに形成されているから、引っ掛けやすくて外れ落ちることがない。
【００２０】
ピン１０は、ピン１０の幅より狭い左右弾性係止突片８，８、８，８、８，８の間からピン１０を圧入していくが、左右弾性係止突片８，８の正面部は内方に傾斜する傾斜面８ａ，８ａとしてピン１０を圧入しやすくしてありスムーズに入る。また、左右弾性係止突片８，８、８，８、８，８が弾性変形して間隔幅９が広がりピン１０が凹部１１に嵌まる。それと同時に、変形された左右弾性係止突片８，８、８，８、８，８が元の形に戻り凹部１１に収まったピン１０の背面上部、中部、下部を押圧して抱着され抜け落ちることがなくなる。特に枠体６ａによる縦杆７，７の引っ掛けと左右弾性係止突片８，８、８，８、８，８による抱着との２つの止着手段によって確実に吊設できて落ちることがない。取り外す場合は、枠体６ａを外れる方向に引っ張れば左右弾性係止突片８，８、８，８、８，８に抱着されていたピン１０はその係合が解かれて簡単に取り外すことができる。
【００２１】
つぎに、トップ式ベルト１３を吊り下げて展示販売する例を説明すると、図８に示すように、突子１６の径よりやや小径の中心孔１５に対して、垂直方向から差し込んでいけば、支持孔１２の四方から突設する弾性舌片１４，１４，１４，１４が屈曲し中心孔１５が広がっていき突子１６を挿し込める。突子１６を挿通させた状態で弾性舌片１４，１４，１４，１４が元の状態に戻り突子１６を弾性的に挟持保持することができる。
【００２２】
さらに、バックル式ベルト１８を吊り下げて展示販売する例を説明すると、図９に示すように、弾発力に抗して圧接具１９を回動してバックル１８ａと圧接具１９との間隔を広げた状態にし、ハンガー主体１の帯状体４を先端から挿入していき、裏面下端部に設けた突出部１７が圧接具１９の位置を通過すれば弾発力による回動状態を解くことにより、圧接具１９が元の位置に戻り、突出部１６が圧接具１９によって係止されるので吊り下げ展示販売することができる。
【００２３】
また、ネクタイ２０を吊り下げて展示販売する場合を説明すると、細幅の一端部を上部の孔２０ａに通し裏面側に出し、裏面側から下部の孔２０ｂに通して表面側に通していけば、太幅部が正面側の位置になり簡単に通すことができ外れることがない。
【００２４】
以上、本発明では、３種類のウエストベルトとネクタイの例で説明したが、必ずしもこれらに限定されることはなく、バンド、紐、テープなどでもよく、本発明の目的を達成でき、かつ本発明の要旨を逸脱しない範囲内において種々の設計変更が可能であることは言うまでもない。
【産業上の利用可能性】
【００２５】
本発明は、ピン式ベルト、トップ式ベルト、バックル式ベルトの三タイプのベルトを吊設して展示販売できるハンガーとして利用できると共に、ネクタイ、紐、テープなど長尺服飾品のハンガーとして有効に利用できるものでる。
【符号の説明】
【００２６】
１      ハンガー主体
２      胴体
３      フック
４      帯状体    
５      止着部
６      ピン式ベルト
６ａ    枠体
７      縦杆
７ａ    傾斜面
８      左右弾性係止突片
９      間隔幅
１０    ピン
１１    凹部
１２    支持孔
１３    トップ式ベルト  
１４    弾性舌片
１５    中心孔
１６    突子
１７    突出部
１８    バックル式ベルト
１８ａ  バックル
１９    圧接具
【図１】
2010178836.tif 000003
【図２】
2010178836.tif 000004
【図３】
2010178836.tif 000005
【図４】
2010178836.tif 000006
【図５】
2010178836.tif 000007
【図６】
2010178836.tif 000008
【図７】
2010178836.tif 000009
【図８】
2010178836.tif 000010
【図９】
2010178836.tif 000011
【図１０】
2010178836.tif 000012
【図１１】
2010178836.tif 000013
【図１２】
2010178836.tif 000014
【図１３】
2010178836.tif 000015
【図１４】
2010178836.tif 000016
【図１５】
2010178836.tif 000017
【図１６】
2010178836.tif 000018